(57)【要約】【課題】シーケンシャルな切り替え制御を行うことが可能なマルチモード送受信機を提供する。【解決手段】モード切替えの前にWCDMA動作時のデュアル回路ブロック11の設定値S11が入力端子16を経てWCDMAレジスタ12へ入力される。同様に、GSM動作時のデュアル回路ブロック11の設定値S12が入力端子17を経てGSMレジスタ13へ入力される。WCDMAレジスタ12の出力とGSMレジスタ13の出力はマルチプレクサ14に入力される。モード切替信号S13に従い、マルチプレクサ14からWCDMA設定値S11もしくはGSM設定値S12の選択された方が出力される。この設定値がデュアル回路ブロック11に入力され、デュアル回路ブロック11は選択されたモードで動作を開始する。【選択図】図1
2010109797.tif 000002
【特許請求の範囲】
【請求項１】
マルチモード送受信機であって、
各モードの送受信機能を有するマルチ回路ブロックと、
前記マルチ回路ブロックを各モードで動作させるための設定値を保持する、モード毎のモードレジスタと、
各モードレジスタに保持されている設定値を入力し、前記各モードを示すモード切替信号に従って選択し、選択された設定値を前記マルチ回路ブロックに出力するマルチプレクサと、
前記各モードレジスタに、前記マルチ回路ブロックを当該モードで動作させるための設定値を入力するための入力端子と、
前記モード切替信号を入力するための入力端子と、
を有するマルチモード送受信機。
【請求項２】
前記モード切替信号を保持するモード切替レジスタをさらに有する、請求項１に記載のマルチモード送受信機。
【請求項３】
前記マルチモードがWCDMAとGSMの各モードである、請求項１または２に記載のマルチモード送受信機。
【請求項４】
前記マルチモードがWCDMAとGSMとLTEの各モードである、請求項１または２に記載のマルチモード送受信機。
【発明の詳細な説明】
【技術分野】
【０００１】
本発明はマルチモード送受信機に関する。
【背景技術】
【０００２】
従来のマルチモード受信機では各モードごとに送受信機があり、各々の回路ブロックの制御を個別に行っていた。そのため、シーケンシャルな切り替え制御を考える必要がなく、各モードでオーバーラップしたような動作が可能であった。
【０００３】
なお、特許文献１に開示されたマルチモード送受信機では、1つの入力を有する設定値書込制御部を介して各モード設定レジスタに設定値を書き込むようになっている。
【特許文献１】特開2004-201272号公報
【発明の開示】
【発明が解決しようとする課題】
【０００４】
本発明の目的は、シーケンシャルな切り替え制御を行うことが可能なマルチモード送受信機を提供することにある。
【課題を解決するための手段】
【０００５】
本発明のマルチモード送受信機はマルチ回路ブロックとモードレジスタとマルチプレクサと入力端子を有する。マルチ回路ブロックは各モードの送受信機能を有している。各レジスタには、入力端子を介して入力された、マルチ回路ブロックを当該モードで動作させるための設定値を保持する。マルチプレクサは、各モードレジスタに保持されている設定値を、入力端子から入力された、各モードを示すモード切替信号に従って選択し、選択された設定値をマルチ回路ブロックに出力する。
【発明の効果】
【０００６】
第1に、事前にモードレジスタへ入力された設定値をモード切替信号によって任意のタイミングでマルチ回路ブロックへ入力することによって、モードのシーケンシャルな切り替え制御を行うことが可能となる。
【０００７】
第2に、モード切替え前であれば、いつでもモードレジスタへ設定値の変更を行うことができ、最後に入力した設定値がマルチ回路ブロックに入力される。
【０００８】
第3に、各モードレジスタに対して1対1で入力端子が設けられているので、各モードレジスタへの、異なるフォーマット（異なるビット長）での設定値の設定が可能である。
【０００９】
第4に、従来のWCDMA設定値入力、GSM設定値入力のインタフェースが本発明のマルチモード送受信機にも、そのまま使用できる。
【発明を実施するための最良の形態】
【００１０】
次に、本発明の実施の形態について図面を参照して説明する。
【００１１】
[第1の実施形態]
図1を参照すると、本発明の第１の実施形態であるデュアルモード送受信機1Aはデュアル回路ブロック11とWCDMA(Wideband-CDMA)レジスタ12とGSM(Global System for Mobile Communications)レジスタ13とマルチプレクサ14と入力端子16、17、18を有する。デュアル回路ブロック11はWCDMAとGSMの各モードの送受信機能を有している。デュアル回路ブロック11をWCDMAモードで動作させるための設定値であるWCDMA設定値S11が入力端子16を経てWCDMAレジスタ12へ入力される。同様に、デュアル回路ブロック11をGSMモードで動作させるための設定値であるGSM設定値S12が入力端子17を経てGSMレジスタ13へ入力される。マルチプレクサ14は、各レジスタ12、13の出力を入力し、入力端子18から入力される、各モードを示すモード切替信号S13に従って選択し、デュアル回路ブロック11に出力する。
【００１２】
次に、本実施形態のデュアルモード送受信機1Aの動作を説明する。まず、モード切替えの前にWCDMA動作時のデュアル回路ブロック11の設定値S11が入力端子16を経てWCDMAレジスタ12へ入力される。同様に、GSM動作時のデュアル回路ブロック11の設定値S12が入力端子17を経てGSMレジスタ13へ入力される。WCDMAレジスタ12の出力とGSMレジスタ13の出力はマルチプレクサ14に入力される。WCDMA動作かGSM動作かを示すモード切替信号S13に従い(例えば、モード切替信号S13が"0"の時はWCDMA動作、"1"の時はGSM動作など、その逆も可能)、マルチプレクサ14からWCDMA設定値S11もしくはGSM設定値S12の選択された方が出力される。この設定値がデュアル回路ブロック11に入力され、デュアル回路ブロック11は選択されたモードで動作を開始する。次に、モード切替信号S13の論理が切り替わると、デュアル回路ブロック11に入力される設定値が切り替わり、動作モードも切り替わる。
【００１３】
本実施形態のデュアルモード送受信機は特に移動体通信のデュアルモードを含めたマルチモード対応の送受信機で使用される。
【００１４】
[第2の実施形態]
図2を参照すると、本発明の第2の実施形態のデュアルモード送受信機2Aは、第1の実施形態のデュアルモード送受信機1Aの構成に加えて、モード切替信号S13を保持するモード切替レジスタ15を有している。
【００１５】
次に、本実施形態のデュアルモード送受信機1Bの動作を説明する。モード切替を行う際にモード切替信号S13を、入力端子18を経てモード切替レジスタ15に入力する。これに従って、マルチプレクサ14からWCDMA設定値S11もしくはGSM設定値S12の選択された方が出力される。この設定値がデュアル回路ブロック11に入力され、デュアル回路ブロック11は選択されたモードで動作を開始する。
【００１６】
[第3の実施形態]
図3を参照すると、本発明の第3の実施形態であるトリプルモード送受信機2Aはトリプル回路ブロック21とWCDMAレジスタ22とGSMレジスタ23とLTE(Long Term Evolution)レジスタ24とマルチプレクサ25と入力端子27、28、29、30を有している。トリプル回路ブロック21はWCDMAとGSMとLTEの各モードの送受信機能を有している。ここで、LTEはスーパー3Gとも呼ばれ、携帯電話の高速なデータ通信仕様の一つで、第3世代携帯電話方式「WCDMA」の高速データ通信規格「HSDPA(High Speed Downlink Packet Access)」をさらに進化させたものである。
【００１７】
次に、本実施形態のデュアルモード送受信機2Aの動作を説明する。まず、モード切替えの前にWCDMA動作時のトリプル回路ブロック21の設定値S21が入力端子27を経てWCDMAレジスタ22へ入力される。同様に、GSM動作時のトリプル回路ブロック21の設定値S22が入力端子28を経てGSMレジスタ23へ、LTE動作時のトリプル回路ブロック21の設定値S23が入力端子29を経てLTEレジスタ24へ入力される。WCDMAレジスタ22の出力とGSMレジスタ23の出力とLTEレジスタ24の出力はマルチプレクサ25に入力される。WCDMA動作かGSM動作かLTE動作を示すモード切替信号S24に従い、マルチプレクサ25からWCDMA設定値S21もしくはGSM設定値S22もしくはLTE設定値S23が出力される。この設定値がトリプル回路ブロック21に入力され、トリプル回路ブロック21は選択されたモードで動作を開始する。
【００１８】
[第4の実施形態]
図4を参照すると、本発明の第4の実施形態であるトリプルモード送受信機2Bは、第3の実施形態のトリプルモード送受信機2Aの構成に加えて、モード切替信号S24を保持するモード切替レジスタ26を有している。
【００１９】
次に、本実施形態のデュアルモード送受信機2Bの動作を説明する。モード切替を行う際にモード切替信号S24をモード切替レジスタ26に入力する。これに従って、マルチプレクサ25からWCDMA設定値S21もしくはGSM設定値S22もしくはLTE設定値S23の選択された方が出力される。この設定値がトリプル回路ブロック21に入力され、トリプル回路ブロック21は選択されたモードで動作を開始する。
【００２０】
以上、デュアルモード送受信機、トリプルモード送受信機の例を示したが、デュアルモード送受信機、トリプルモード送受信機におけるモードは例示したものに限定されない。また、4つ以上のモードを持つ送受信機も同様にして可能である。
【図面の簡単な説明】
【００２１】
【図１】図1は本発明の第１の実施形態であるデュアルモード送受信機1Aのブロック図である。
【図２】図2は本発明の第2の実施形態であるデュアルモード送受信機1Bのブロック図である。
【図３】図3は本発明の第3の実施形態であるトリプルモード送受信機2Aのブロック図である。
【図４】図4は本発明の第4の実施形態であるトリプルモード送受信機2Bのブロック図である。
【符号の説明】
【００２２】
1A、1B  デュアルモード送受信機
11  デュアル回路ブロック
12  WCDMAレジスタ
13  GSMレジスタ
14  マルチプレクサ
15  モード切替レジスタ
16、17、18  入力端子
S11  WCDMA設定値
S12  GSM設定値
S13  モード切替信号
2A、2B  トリプルモード送受信機
21  トリプル回路ブロック
22  WCDMAレジスタ
23  GSMレジスタ
24  LTEレジスタ
25  マルチプレクサ
26  モード切替レジスタ
27、28、29、30  入力端子
S21  WCDMA設定値
S22  GSM設定値
S23  LTE設定値
S24  モード切替信号
【図１】
2010109797.tif 000003
【図２】
2010109797.tif 000004
【図３】
2010109797.tif 000005
【図４】
2010109797.tif 000006